(57)【要約】【課題】カーブド二次電池を提供する。【解決手段】一側に開口を含むカン、開口を介して、カンに収容される電極組立体、及び開口を密封するキャッププレートを含み、該キャッププレートは、互いに並んだ凹状の第１側面及び凸状の第２側面、並びに第１側面及び第２側面を繋ぐ平らな第１面及び第２面を含み、該第１面には、キャッププレートの長手方向に沿って第１溝が形成され、該第１溝は、第２側面より第１側面にさらに近く位置するカーブド二次電池である。【選択図】図１
2015138779.tif 000002
【特許請求の範囲】
【請求項１】
一側に開口を含むカンと、
前記開口を介して、前記カンに収容される電極組立体と、
前記開口を密封するキャッププレートと、を含み、
前記キャッププレートは、互いに並んだ凹状の第１側面及び凸状の第２側面、並びに前記第１側面及び前記第２側面を繋ぐ平らな第１面及び第２面を含み、
前記第１面には、前記キャッププレートの長手方向に沿って第１溝が形成され、前記第１溝は、前記第２側面より前記第１側面にさらに近く位置するカーブド二次電池。
【請求項２】
前記第１溝は、前記第１側面、及び前記第２側面と並んだことを特徴とする請求項１に記載のカーブド二次電池。
【請求項３】
前記第１溝は、前記第１側面から、０．２５ｍｍないし０．５ｍｍ離隔されたことを特徴とする請求項２に記載のカーブド二次電池。
【請求項４】
前記第１溝の深さは、前記第１面及び前記第２面を繋ぐ長さの１／３ないし１／２であることを特徴とする請求項１に記載のカーブド二次電池。
【請求項５】
前記キャッププレートの長手方向に沿う前記第１溝の両端部は、それぞれ傾斜部を含むことを特徴とする請求項１に記載のカーブド二次電池。
【請求項６】
前記両端部に行くほど、前記第１溝の深さが浅くなることを特徴とする請求項５に記載のカーブド二次電池。
【請求項７】
前記第１溝は、不連続に形成されたことを特徴とする請求項１に記載のカーブド二次電池。
【請求項８】
前記キャッププレートは、前記第１溝と並んだ第２溝をさらに含み、
前記第２溝は、前記第１側面より前記第２側面にさらに近く位置することを特徴とする請求項１に記載のカーブド二次電池。
【請求項９】
前記キャッププレートは、前記第２面から前記電極組立体に向けて突出したアンカを含み、
前記キャッププレートの下部には、絶縁プレートが位置し、前記絶縁プレートは、一側端部に、前記アンカが挿入されるアンカ溝を含むことを特徴とする請求項１に記載のカーブド二次電池。
【請求項１０】
前記アンカ溝の大きさは、前記アンカの大きさより大きいことを特徴とする請求項９に記載のカーブド二次電池。
【請求項１１】
前記絶縁プレートの下部に位置するターミナルプレートと、前記第１面上に位置する電極ピンと、をさらに含み、
前記電極ピンは、前記キャッププレート、及び前記絶縁プレートを貫通し、前記ターミナルプレートと接続することを特徴とする請求項９に記載のカーブド二次電池。
【請求項１２】
一側に開口を含むカンと、
前記カンに収容され、第１電極板、第２電極板、及び前記第１電極板と前記第２電極板との間のセパレータを具備した電極組立体と、
前記開口を密封するキャッププレートと、を含み、
前記開口は、一定曲率を有して湾曲して形成され、
前記キャッププレートは、前記曲率と同一曲率を有する凹状の第１側面及び凸状の第２側面、並びに前記第１側面及び前記第２側面を繋ぐ平らな第１面及び第２面を含み、
前記第１面は、外部に向かう面であり、前記第１面には、前記キャッププレートの長手方向に沿って第１溝が形成され、前記第１溝は、前記第１側面から、０．２５ｍｍないし０．５ｍｍ離隔されたカーブド二次電池。
【請求項１３】
前記第１溝の深さは、前記キャッププレートの厚みの１／３ないし１／２であることを特徴とする請求項１２に記載のカーブド二次電池。
【請求項１４】
前記キャッププレートの長手方向に沿う前記第１溝の両端部は、それぞれ傾斜部を含むことを特徴とする請求項１２に記載のカーブド二次電池。
【請求項１５】
前記第１溝は、不連続に形成されたことを特徴とする請求項１２に記載のカーブド二次電池。
【請求項１６】
前記キャッププレートは、前記第１溝と並んだ第２溝をさらに含み、
前記第２溝は、前記第２側面から、０．２５ｍｍないし０．５ｍｍ離隔されたことを特徴とする請求項１２に記載のカーブド二次電池。
【請求項１７】
前記キャッププレート下部に位置した絶縁プレート、ターミナルプレート、及び前記キャッププレートの上部に位置し、前記キャッププレートと前記絶縁プレートとを貫通し、前記ターミナルプレートと接続する電極ピンをさらに含むことを特徴とする請求項１２に記載のカーブド二次電池。
【請求項１８】
前記第１電極板には、第１電極タブが結合し、前記第２電極板には、第２電極タブが結合し、
前記第１電極タブは、前記キャッププレートと接続し、前記第２電極タブは、前記ターミナルプレートと接続することを特徴とする請求項１７に記載のカーブド二次電池。
【請求項１９】
前記キャッププレートは、前記電極組立体に向かう方向に突出したアンカを含み、
前記絶縁プレートは、前記アンカが挿入されるアンカ溝を含むことを特徴とする請求項１７に記載のカーブド二次電池。
【請求項２０】
前記アンカ溝は、前記アンカより大きいことを特徴とする請求項１９に記載のカーブド二次電池。
【発明の詳細な説明】
【技術分野】
【０００１】
本発明は、カーブド（curved）二次電池に関する。
【背景技術】
【０００２】
二次電池は、充電が不可能な一次電池とは異なり、充放電を反復して使用することができる電池であり、経済的であり、環境に優しいので、その使用が推奨されている。最近では、二次電池が使用される電子機器の種類が多様化されており、電子機器のデザイン的な要素が、電子機器の購買を決定する重要な要素になっている。
【０００３】
例えば、二次電池を電源供給源として使用する多様なウェラブルコンピュータ（wearable computer）技術及びその応用事例が開発されて発表されており、さらに携帯電話、ノート型パソコンのような電子機器は、人体工学的な設計のために、所定の曲面を有するデザインを含むように設計されている。このために、かような電子機器を動作させるための二次電池も、電子機器の形状によって、所定の曲面を有するように形成する必要がある。
【先行技術文献】
【特許文献】
【０００４】
【特許文献１】韓国特許第１２３３４５９号公報
【発明の概要】
【発明が解決しようとする課題】
【０００５】
本発明が解決しようとする課題は、カーブド二次電池を提供することである。
【課題を解決するための手段】
【０００６】
本発明の一実施形態は、一側に開口を含むカン、前記開口を介して、前記カンに収容される電極組立体、及び前記開口を密封するキャッププレートを含み、前記キャッププレートは、互いに並んだ凹状の第１側面及び凸状の第２側面、並びに前記第１側面及び前記第２側面を繋ぐ平らな第１面及び第２面を含み、前記第１面には、前記キャッププレートの長手方向に沿って第１溝が形成され、前記第１溝は、前記第２側面より前記第１側面にさらに近く位置するカーブド二次電池を提供する。
【０００７】
本実施形態において、前記第１溝は、前記第１側面、及び前記第２側面と並んだことがある。
本実施形態において、前記第１溝は、前記第１側面から、０．２５ｍｍないし０．５ｍｍ離隔されている。
本実施形態において、前記第１溝の深さは、前記第１面及び前記第２面を繋ぐ長さの１／３ないし１／２でもある。
本実施形態において、前記キャッププレートの長手方向に沿う前記第１溝の両端部は、それぞれ傾斜部を含んでもよい。
【０００８】
本実施形態において、前記両端部に行くほど、前記第１溝の深さが浅くなる。
本実施形態において、前記第１溝は、不連続に形成することができる。
本実施形態において、前記キャッププレートは、前記第１溝と並んだ第２溝をさらに含み、前記第２溝は、前記第１側面より前記第２側面にさらに近く位置することができる。
【０００９】
本実施形態において、前記キャッププレートは、前記第２面から前記電極組立体に向けて突出したアンカを含み、前記キャッププレートの下部には、絶縁プレートが位置し、前記絶縁プレートは、一側端部に、前記アンカが挿入されるアンカ溝を含んでもよい。
本実施形態において、前記アンカ溝の大きさは、前記アンカの大きさより大きくてもよい。
【００１０】
本実施形態において、前記絶縁プレートの下部に位置するターミナルプレートと、前記第１面上に位置する電極ピンと、をさらに含み、前記電極ピンは、前記キャッププレート、及び前記絶縁プレートを貫通し、前記ターミナルプレートと接続することができる。
【００１１】
本発明の他の実施形態は、一側に開口を含むカン；前記カンに収容され、第１電極板、第２電極板、及び前記第１電極板と前記第２電極板との間のセパレータを具備した電極組立体；並びに前記開口を密封するキャッププレート；を含み、前記開口は、一定曲率を有して湾曲して形成され、前記キャッププレートは、前記曲率と同一曲率を有する凹状の第１側面及び凸状の第２側面、並びに前記第１側面及び前記第２側面を繋ぐ平らな第１面及び第２面を含み、前記第１面は、外部に向かう面であり、前記第１面には、前記キャッププレートの長手方向に沿って第１溝が形成され、前記第１溝は、前記第１側面から、０．２５ｍｍないし０．５ｍｍ離隔されたカーブド二次電池を提供する。
【００１２】
本実施形態において、前記第１溝の深さは、前記キャッププレートの厚さの１／３ないし１／２でもある。
本実施形態において、前記キャッププレートの長手方向に沿う前記第１溝の両端部は、それぞれ傾斜部を含んでもよい。
【００１３】
本実施形態において、前記第１溝は、不連続に形成することができる。
本実施形態において、前記キャッププレートは、前記第１溝と並んだ第２溝をさらに含み、前記第２溝は、前記第２側面から、０．２５ｍｍないし０．５ｍｍ離隔されている。
本実施形態において、前記キャッププレート下部に位置した絶縁プレート、ターミナルプレート、及び前記キャッププレートの上部に位置し、前記キャッププレートと前記絶縁プレートとを貫通し、前記ターミナルプレートと接続する電極ピンをさらに含んでもよい。
【００１４】
本実施形態において、前記第１電極板には、第１電極タブが結合し、前記第２電極板には、第２電極タブが結合し、前記第１電極タブは、前記キャッププレートと接続し、前記第２電極タブは、前記ターミナルプレートと接続することができる。
本実施形態において、前記キャッププレートは、前記電極組立体に向かう方向に突出したアンカを含み、前記絶縁プレートは、前記アンカが挿入されるアンカ溝を含んでもよい。
本実施形態において、前記アンカ溝は、前記アンカより大きくてもよい。
【発明の効果】
【００１５】
本発明によれば、カーブド二次電池の安定性と、カーブド二次電池の製造効率とが向上する。
【図面の簡単な説明】
【００１６】
【図１】本発明の一実施形態によるカーブド二次電池を概略的に図示した斜視図である。
【図２】図１のカーブド二次電池を概略的に図示した分解斜視図である。
【図３】図１のカーブド二次電池のキャッププレートを概略的に図示した平面図である。
【図４】図１のカーブド二次電池のキャッププレートを概略的に図示した底面図である。
【図５】図３のＩ−Ｉ断面を概略的に図示した断面図である。
【図６】図１のカーブド二次電池のキャッププレートの変形例を概略的に図示した平面図である。
【図７】図１のカーブド二次電池のキャッププレートの他の変形例を概略的に図示した平面図である。
【発明を実施するための形態】
【００１７】
本発明は、多様な変換を加えることができ、さまざまな実施形態を有することができるが、特定実施形態を図面に例示し、詳細な説明において詳細に説明する。しかし、それらは、本発明を特定の実施形態について限定するものではなく、本発明の思想及び技術範囲に含まれる全ての変換、均等物あるいは代替物を含むものであるということを理解しなければならない。本発明の説明において、他の実施形態に図示されているとしても、同一構成要素については、同一識別符号を使用する。
【００１８】
第１、第２のような用語は、多様な構成要素の説明に使用されるが、構成要素は、用語によって限定されるものではない。用語は、１つの構成要素を他の構成要素から区別する目的でのみ使用される。
【００１９】
本出願で使用された用語は、ただ特定の実施形態の説明に使用されたものであり、本発明を限定する意図ではない。本出願において、「含む」または「有する」というような用語は、明細書上に記載された特徴、数字、段階、動作、構成要素、部品、またはそれらを組み合わせたものの存在を指定するものであり、一つ、またはそれ以上の他の特徴や数字、段階、動作、構成要素、部品、またはそれらを組み合わせたものの存在または付加の可能性をあらかじめ排除するものではないということを理解しなければならない。
【００２０】
以下、添付された図面に図示された本発明に係わる実施形態を参照し、本発明について詳細に説明する。
図１は、本発明の一実施形態によるカーブド（curved）二次電池を概略的に図示した斜視図であり、図２は、図１のカーブド二次電池を概略的に図示した分解斜視図であり、図３は、図１のカーブド二次電池のキャッププレートを概略的に図示した平面図であり、図４は、図１のカーブド二次電池のキャッププレートを概略的に図示した底面図であり、図５は、図３のＩ−Ｉ断面を概略的に図示した断面図である。
【００２１】
図１ないし図５を参照すれば、本発明の一実施形態によるカーブド二次電池１０は、一側に開口を含むカン１１０、カン１１０に収容される電極組立体１２０、カン１１０の一側と結合するキャッププレート１３０を含んでもよい。
【００２２】
カン１１０は、電極組立体１２０が挿入されるように、一側に開口が形成されている。開口は、一定曲率を有して湾曲して形成され、それにより、カン１１０も、全体的に湾曲して形成されることにより、カーブド二次電池１０の外形を形成することができる。カン１１０は、アルミニウムまたはアルミニウム合金から形成される。従って、カン１１０は、外部衝撃から電極組立体１２０を保護し、電極組立体１２０の充放電動作に伴うる熱を外部に放出する放熱板の機能が行うことができる。
【００２３】
電極組立体１２０は、第１電極板１２１、第２電極板１２２、及び第１電極板１２１と第２電極板１２２との間のセパレータ１２３を含む。電極組立体１２０は、第１電極板１２１、セパレータ１２３及び第２電極板１２２が順次に積層された後、ゼリーロール（jelly-roll）形態になるように巻き取って製作される。他の実施形態として、電極組立体１２０は、第１電極板１２１、セパレータ１２３及び第２電極板１２２が順次に積層されて形成される。
【００２４】
第１電極板１２１は、正極フィルムまたは負極フィルムのうちいずれか一つでもある。第１電極板１２１が正極フィルムである場合、第２電極板１２２は、負極フィルムでもあり、一方、第１電極板１２１が負極フィルムである場合、第２電極板１２２は、正極フィルムでもある。すなわち、第１電極板１２１と第２電極板１２２は、電気的に極性が異なるように形成され、特定極性に限定されるものではない。ただし、以下では説明の便宜上、第１電極板１２１は、正極フィルムとして形成され、第２電極板１２２は、負極フィルムとして形成される場合について説明する。
【００２５】
第１電極板１２１は、第１活物質が塗布された第１活物質部と、第１活物質が塗布されていない第１無地部と、を含む。第１活物質部は、例えば、アルミニウム板の少なくともいずれか１面の一部に、第１活物質を塗布して形成し、第１活物質が未塗布のアルミニウム板の残り部分は、第１無地部になる。第１活物質は、ＬｉＣｏＯ２、ＬｉＮｉＯ２、ＬｉＭｎＯ２、ＬｉＭｎＯ４のようなリチウム含有転移金属酸化物またはリチウムカルコゲナイド化合物のような正極活物質でもある。
【００２６】
第２電極板１２２は、第２活物質が塗布された第２活物質部と、第２活物質が塗布されていない第２無地部と、を含む。第２活物質部は、例えば、銅板の少なくともいずれか１面の一部に、第２活物質を塗布して形成し、第２活物質が未塗布のアルミニウム板の残り部分は、第２無地部にもなる。第２活物質は、例えば、負極活物質でもあり、具体的には、結晶質炭素・非晶質炭素・炭素複合体・炭素ファイバのような炭素材料、リチウム金属またはリチウム合金などでもある。
【００２７】
セパレータ１２３は、ポリエチレン膜、ポリプロピレン膜のような多孔性高分子膜でもあり、高分子纎維を含む織布または不織布の形態でもあり、セラミックス粒子を含んでもよく、高分子固体電解質からもなる。セパレータ１２３は、独立したフィルムで形成したり、あるいは第１電極板１２１または第２電極板１２２の上に、非伝導性の多孔性層を形成して使用することもできる。セパレータ１２３は、第１電極板１２１と第２電極板１２２とを互いに電気的に分離するために形成したものであり、セパレータ１２３の形状は、必ずしも第１電極板１２１や第２電極板１２２の形状と、同一に形成される必要はない。
【００２８】
第１電極タブ１２５と第２電極タブ１２７は、電極組立体１２０を、外部と電気的に接続させるために具備され、このために、第１電極タブ１２５は、第１電極板１２１と電気的に連結され、第２電極タブ１２７は、第２電極板１２２と電気的に連結される。具体的には、第１電極タブ１２５は、第１無地部に、溶接などによって接続され、第２電極タブ１２７は、溶接などにより、第２無地部に接続される。
【００２９】
キャッププレート１３０は、カン１１０の開口を密封することができる。キャッププレート１３０は、カン１１０と同様に、アルミニウムまたはアルミニウム合金のような金属性素材によって製作され、キャッププレート１３０とカン１１０とが接する部分は、レーザ溶接などによって接合される。また、キャッププレート１３０は、別途の絶縁ケース１８０と結合され、カン１１０の開口に結合されてカン１１０を密封することができる。
【００３０】
一方、カン１１０の開口が、一定曲率を有して湾曲して形成され、キャッププレート１３０は、開口を密封するので、キャッププレート１３０も、一定曲率を有して湾曲して形成される。具体的には、キャッププレート１３０は、互いに並んだ凹状の第１側面１３１ａと、凸状の第２側面１３１ｂとを含んでもよく、第１側面１３１ａと第２側面１３１ｂは、カン１１０の開口と同一曲率を有することができる。
【００３１】
また、キャッププレート１３０は、第１側面１３１ａと第２側面１３１ｂとを繋ぐ平らな第１面１３２ａと第２面１３２ｂとを含む。第１面１３２ａは、外部に向かう面であり、第２面１３２ｂは、電極組立体１２０に向かう面でもある。
【００３２】
第１面１３２ｂには、第１溝１３３が形成される。第１溝１３３は、キャッププレート１３０の長手方向に沿って形成される。第１溝１３３は、キャッププレート１３０の厚みより相対的に薄厚を有することにより、外部の衝撃がカーブド二次電池１０に加えられる場合、第１溝１３３でまず変形が誘導され、外部の衝撃を吸収することができる。従って、外部の衝撃などにより、カーブド二次電池１０の爆発、発火などを防止し、カーブド二次電池１０の安定性が向上する。
【００３３】
一方、第１溝１３３は、第２側面１３１ｂより第１側面１３１ａにさらに近く位置することができる。カーブド二次電池１０は、まず平坦な形態に製造された後、一定曲率を有するジグ（図示せず）内に位置させた後、加圧して形成するが、加圧により、キャッププレート１３０の第１側面１３１ａは、凹状の形状で変形されながら収縮応力を受けて、第２側面１３１ｂは、凸状の形状に変形されながら、膨脹応力を受ける。このとき、第１溝１３３が、第２側面１３１ｂより第１側面１３１ａにさらに近接して配置されれば、第１溝１３３の変形により、第１側面１３１ａが受ける収縮応力が緩和され、さらに小さい力により、カーブド二次電池１０を製造することができる。従って、カーブド二次電池１０の製造効率が向上する。
【００３４】
また、第１溝１３３は、キャッププレート１３０とカン１１０との溶接時、第１溝１３３方向への熱伝達を防止し、熱損失を最小化することができ、それにより、溶接によって、キャッププレート１３０とカン１１０とが互いに溶融接合された領域の深さが増大する。従って、キャッププレート１３０とカン１１０との溶接性が向上し、キャッププレート１３０とカン１１０との結合強度が向上する。
【００３５】
このような第１溝１３３は、第１側面１３１ａから、０．２５ｍｍないし０．５ｍｍ離隔されて形成される。第１溝１３３と第１側面１３１ａとの距離Ｄが０．２５ｍｍより小さい場合、第１溝１３３と第１側面１３１ａとの溶接領域が縮小され、キャッププレート１３０とカン１１０との機械的強度及び密封力が低下する。一方、第１溝１３３と第１側面１３１ａとの距離Ｄが０．５ｍｍより大きい場合、キャッププレート１３０とカン１１０との溶接性が向上し難くなる。
【００３６】
また、第１溝１３３の深さＴ２は、キャッププレート１３０の第１面１３２ａと、第２面１３２ｂとを繋ぐ長さの１／３ないし１／２でもある。すなわち、第１溝１３３の深さＴ２は、キャッププレート１３０の厚みＴ１の１／３ないし１／２でもある。
【００３７】
第１溝１３３の深さＴ２がキャッププレート１３０の厚みＴ１の１／３より小さい場合、キャッププレート１３０とカン１１０との溶接時、熱伝達率を下げる効果を有しがたく、外部からの衝撃時、またはカーブド二次電池１０の製造時、第１溝１３３による変形誘導効果が十分ではない。一方、第１溝１３３の深さＴ２がキャッププレート１３０の厚みＴ１の１／２より大きい場合、キャッププレート１３０の強度が低下し、カン１１０の開口内に挿入するとき、キャッププレート１３０に変形が発生することもある。
【００３８】
一方、第１溝１３３の両端部は、それぞれ傾斜部１３７を含む。傾斜部１３７は、第１面１３２ａまたは第２面１３２ｂと一定角度θを形成し、前記傾斜部１３７により、第１溝１３３の深さＴ１は、両端部に行くほど浅くなる。従って、第１溝１３３と並んだ方向にキャッププレート１３０とカン１１０とを溶接するとき、第１溝１３３が終わる領域において、熱伝達率の不連続的な変化を防止し、溶接性を向上させることができる。
【００３９】
前記第１溝１３３は、安全ベントしてと作用することができる。安全ベントは、カン１１０の内部圧力が一定圧力を超えれば、ガスの排出経路を提供するように、破断可能に形成されたものであり、第１溝１３３は、キャッププレート１３０より薄厚を有して形成されるが、第１溝１３３は、安全ベントとして作動することができる。
【００４０】
それとは異なり、キャッププレート１３０は、安全ベントを別途に具備することができるが、一例として、安全ベントは、第１溝１３３内に形成される。安全ベントが第１溝１３３内に形成されれば、安全ベントは、第１溝１３３より相対的に薄厚を有するように形成され、それにより、カン１１０の内部圧力に敏感に反応し、カーブド二次電池１０の安定性が向上する。
【００４１】
キャッププレート１３０は、電解質注入口１３６を含む。キャッププレート１３０がケース１１０と結合された後、電解質は、電解質注入口１３６を介して、ケース１１０の内部に注入され、電解質の注入が完了した後には、電解質注入口１３６は、密閉される。
キャッププレート１３０の下部には、絶縁プレート１４０とターミナルプレート１５０が位置することができる。絶縁プレート１４０は、絶縁性材質から形成され、ターミナルプレート１５０とキャッププレート１３０との短絡を防止することができる。
【００４２】
一方、キャッププレート１３０は、第２面１３２ｂから電極組立体１２０に向けて突出したアンカ１３４を含み、絶縁プレート１４０は、一側端部に、アンカ１３４が挿入されるアンカ溝１４２を含む。アンカ溝１４２は、アンカ１３４と結合し、絶縁プレート１４０の位置ズレを防止することができる。
【００４３】
アンカ溝１４２の大きさは、アンカ１３４の大きさより大きく形成される。具体的には、アンカ溝１４２は、カーブド二次電池１０が曲がる方向に延長されて形成される。従って、加圧により、カーブド二次電池１０を製造するとき、絶縁プレート１４０を基準にして、アンカ１３４の位置がキャッププレート１３０の曲がる軌跡に沿って相対的に移動しても、アンカ１３４とアンカ溝１４２は、互いに結合関係を維持することができる。
【００４４】
また、キャッププレート１３０は、第２面１３２ｂから電極組立体１２０に向けて突出した結合チップ１３８をさらに含んでもよく、絶縁プレート１４０は、結合チップ１３８に対応する位置に結合溝１３６をさらに含む。
ターミナルプレート１５０は、絶縁プレート１４０に形成された載置溝１４４内に載置される。ターミナルプレート１５０は、ニッケル（Ｎｉ）合金から形成され、一側端部が第２電極タブ１２７と電気的に連結される。
【００４５】
キャッププレート１３０の第１面１３２ａ上には、電極ピン１６０が位置することができる。電極ピン１６０は、キャッププレート１３０、絶縁プレート１４０及びターミナルプレート１５０にそれぞれ形成された端子通孔１３５，１４１，１５１に挿入され、ターミナルプレート１５０と接することができる。ターミナルプレート１５０は、電極組立体１２０の第２電極タブ１２７と接するので、電極ピン１６０は、第２電極板と電気的に連結される。一方、第１電極タブ１２５は、キャッププレート１３０と電気的に連結される。
【００４６】
ガスケット１７０は、絶縁プレート１４０と同一に、絶縁性材質から形成され、電極ピン１６０とキャッププレート１３０とを絶縁させることができる。
図６は、図１のカーブド二次電池のキャッププレートの変形例を概略的に図示した平面図である。
【００４７】
図６を参照すれば、キャッププレート２３０は、互いに並んだ凹状の第１側面２３１ａ及び、凸状の第２側面２３１ｂ、並びに第１側面２３１ａ及び第２側面２３１ｂを繋ぐ平らな第１面２３２ａ及び第２面（図示せず）を含む。
第１面２３２ａは、外部に向かう面であり、第１面２３２ａ上には、ガスケット２７０を挟んで電極ピン２６０が位置する。
【００４８】
第１面２３２ａには、キャッププレート２３０の長手方向に沿って、第１溝２３３が形成される。第１溝２３３は、図１ないし図５で図示して説明した第１溝１３３と同一でもある。すなわち、第１溝２３３は、第１側面２３１ａ及び第２側面２３１ｂと同一曲率を有して形成され、第２側面２３１ｂより第１側面２３１ａにさらに近接して位置することができる。また、第１溝２３３は、第１側面２３１ａから０．２５ｍｍないし０．５ｍｍ離隔され、キャッププレート２３０の厚みの１／３ないし１／２の深さに形成される。
【００４９】
一方、第１溝２３３は、不連続に形成される。すなわち、第１溝２３３は、キャッププレート２３０と同一厚みを有する部分を含むことにより、キャッププレート２３０の全体剛性が向上するが、カーブド二次電池の製造がより安定してなされ、キャッププレート２３０が基準外部圧力まで安定して耐えるようにしながら、基準圧力を超える場合にのみキャッププレート２３０が変形される。
【００５０】
図７は、図１のカーブド二次電池のキャッププレートの他の変形例を概略的に図示した平面図である。
図７を参照すれば、キャッププレート３３０は、互いに並んだ凹状の第１側面３３１ａ及び凸状の第２側面３３１ｂ、並びに第１側面３３１ａ及び第２側面３３１ｂを繋ぐ平らな第１面３３２ａ及び第２面（図示せず）を含む。第１面３３２ａは、外部に向かう面であり、第１面３３２ａ上には、ガスケット３７０を挟んで電極ピン３６０が位置することができ、第１面３３２ａには、互いに並んだ第１溝３３３と第２溝３３４とがキャッププレート３３０の長手方向に沿って形成される。
【００５１】
第１溝３３３は、図１ないし図５で図示して説明した第１溝１３３と同一でもある。すなわち、第１溝３３３を含むことにより、カーブド二次電池１０（図１）の安定性が向上し、カン１１０（図１）キャッププレート３３０との溶接性が向上する。
【００５２】
第２溝３３４は、第１側面３３１ａより第２側面３３１ｂにさらに近く位置することができる。例えば、第２溝３３４は、第２側面３３１ｂから０．２５ｍｍないし０．５ｍｍ離隔されて形成される。また、第２溝３３４は、第１溝３３３と同一に、キャッププレート２３０の厚みの１／３ないし１／２の深さに形成される。
【００５３】
第２溝３３４がさらに形成されることにより、外部の衝撃がカーブド二次電池１０（図１）に加えられる場合、第１溝３３３と共に、第２溝３３４に変形が誘導されるので、カーブド二次電池１０（図１）の安定性がさらに向上する。また、キャッププレート３３０とカン１１０（図１）との溶接性がさらに向上し、キャッププレート３３０に圧力が加えられて反った形状とするとき、キャッププレート３３０に発生する応力をさらに効果的に分散させることができる。
【００５４】
以上、本発明の望ましい実施形態について図示して説明したが、本発明は、前述の特定の実施形態に限定されるものではなく、特許請求の範囲で請求する本発明の要旨を外れることなく、当該発明が属する技術分野で当業者によって多様な変形実施が可能であるということは言うまでもなく、かような変形実施は、本発明の技術的思想や展望から個別的に理解されるものではない。
【産業上の利用可能性】
【００５５】
本発明のカーブド二次電池は、例えば、人体工学的設計バッテリ関連の技術分野に効果的に適用可能である。
【符号の説明】
【００５６】
１０    カーブド二次電池
１１０    カン
１２０    電極組立体
１２１    第１電極板
１２２    第２電極板
１２３    セパレータ
１２５    第１電極タブ
１２７    第２電極タブ
１３０，２３０，３３０    キャッププレート
１３１ａ，２３１ａ，３３１ａ    第１側面
１３１ｂ，２３１ｂ，３３１ｂ    第２側面
１３２ａ，２３２ａ，３３２ａ    第１面
１３２ｂ    第２面
１３３，２３３，３３３    第１溝
１３４    アンカ
１３５，１４１，１４５    端子通孔
１３６    電解質注入口
１３７    傾斜部
１３８    結合チップ
１４０    絶縁プレート
１４２    アンカ溝
１４４    載置溝
１５０    ターミナルプレート
１６０，２６０，３６０    電極ピン
１７０，２７０，３７０    ガスケット
１８０    絶縁ケース
３３４    第２溝
【図１】
2015138779.tif 000003
【図２】
2015138779.tif 000004
【図３】
2015138779.tif 000005
【図４】
2015138779.tif 000006
【図５】
2015138779.tif 000007
【図６】
2015138779.tif 000008
【図７】
2015138779.tif 000009